(57)【要約】【課題】手動設定手段により日時が変更された場合には、その変更に応じて管理する情報を変更する電子時計を提供する。【解決手段】電子時計１は、日時を計数する計時手段２１と、時計表示手段で表示する日時を手動で設定する日時手動設定手段と、副時計地域日時管理手段２８とを備える。副時計地域日時管理手段２８は、日時手動設定手段により副時計地域日時管理手段２８で算出した日時が変更された場合には、その変更に応じて副時計地域時差情報を変更し、副時計地域日時情報を算出する。【選択図】図２
2018194565.tif 000002
【特許請求の範囲】
【請求項１】
日時を計数する計時手段と、
前記計時手段の計数する日時と主時計の所定地域に応じた時差情報である主時計地域時差情報と主時計の所定地域に応じた夏時間情報である主時計夏時間情報に基づいて前記主時計の所定地域における日時を算出してこれらを主時計地域日時情報として管理する主時計地域日時管理手段と、
前記主時計地域日時情報と副時計の所定地域に応じた時差情報である副時計地域時差情報と副時計の所定地域に応じた夏時間情報である副時計夏時間情報に基づいて前記副時計の所定地域における日時を算出してこれらを副時計地域日時情報として管理する副時計地域日時管理手段と、
前記主時計地域日時管理手段で算出した日時を表示する主時計表示手段と、
前記副時計地域日時管理手段で算出した日時を表示する副時計表示手段と、
時計表示手段で表示する日時を手動で設定する日時手動設定手段とを備え、
前記副時計地域日時管理手段は、前記日時手動設定手段により前記副時計地域日時管理手段で算出した日時が変更された場合には、その変更に応じて前記副時計地域時差情報を変更し、副時計地域日時情報を算出することを特徴とする電子時計。
【請求項２】
前記副時計地域日時管理手段は、前記日時手動設定手段により日時が変更された場合には、当該変更前の前記副時計地域時差情報と前記副時計夏時間情報に基づき算出された情報を当該変更後の前記副時計地域時差情報とすることを特徴とする請求項１に記載の電子時計。
【発明の詳細な説明】
【技術分野】
【０００１】
本発明は、電子時計に関する。
【背景技術】
【０００２】
従来、主たる日時表示（主時計）に加えて、主時計以外の日時、例えば、主時計で表示している日時の地域以外の地域の日時を副時計または小時計として表示させることが可能な電子時計がある。
【０００３】
ここで、このような電子時計の副時計に特定の都市の日時を表示するワールドタイム機能を実現する際に「都市名（または都市コード）」を直接指定するという方法が行われている（特許文献１参照）。すなわち、世界各都市の現地時間はロンドン時間（協定世界時：ＵＴＣ）を基準としたタイムゾーン（例：東京は＋９時間、ニューヨークは−５時間）が定められているものの、それらのタイムゾーンは単なる数字でしかなく、憶えにくいため、設定ミスが避けられないからであり、時計内部に都市名（都市コード）とタイムゾーンの対応テーブルを保持しておき、ユーザの都市名指定に応じて自動的に対応するタイムゾーンを設定する方が簡単で間違いがないからである。
【０００４】
しかしながら、上記の例では、腕時計のケース外周に世界各国の都市名を表記（刻印や印刷等）しなければならず、デザイン上の制約がある。つまり、ケース外周に都市名を表記することなく、すっきりとしたデザインの腕時計を作ることができないという不都合がある。
【０００５】
そこで、多機能型携帯電話機等の携帯電子機器を利用し、その携帯電子機器と電子時計とを無線接続してワールドタイム機能等の設定変更を行うことが考えられる。このようにすると、携帯電子機器から都市名の指定を行うことができるので、腕時計のケースに都市名を表記する必要がなくなり、デザイン上の制約を逃れることができる。
【先行技術文献】
【特許文献】
【０００６】
【特許文献１】登録実用新案第３０８３２４１号公報
【発明の概要】
【発明が解決しようとする課題】
【０００７】
しかしながら、前記の携帯電子機器が手元にない状況でワールドタイム機能の設定をする場合は、電子時計単体で手動修正せざるを得ず、以下の問題点を招く。
（１）電子時計単体でワールドタイム機能設定の手動修正をした後に、主時計表示と副時計表示の入れ替えを行うと、副時計に日付表示が無い場合には、それまで表示されていなかった副時計の日付が主時計の日付として見えるようになるが、ユーザの意図していない日付になってしまうことがある。
（２）電子時計において、ある時刻からある時刻に時間を変える場合、短時間で早送りが終わる方向に針を回転させていたが、デュアル表示の電子時計においては、主時計表示と副時計表示を入れ替えるときに、現在時刻から時差が進むのか、遅れるのか分からない。
【０００８】
そこで、本発明は、手動設定手段により日時が変更された場合には、その変更に応じて管理する情報を変更する電子時計を提供することにある。
【課題を解決するための手段】
【０００９】
本発明は、日時を計数する計時手段と、前記計時手段の計数する日時と主時計の所定地域に応じた時差情報である主時計地域時差情報と主時計の所定地域に応じた夏時間情報である主時計夏時間情報に基づいて前記主時計の所定地域における日時を算出してこれらを主時計地域日時情報として管理する主時計地域日時管理手段と、前記主時計日時情報と副時計の所定地域に応じた時差情報である副時計地域時差情報と副時計の所定地域に応じた夏時間情報である副時計夏時間情報に基づいて前記副時計の所定地域における日時を算出してこれらを副時計地域日時情報として管理する副時計地域日時管理手段と、前記主時計地域日時管理手段で算出した日時を表示する主時計表示手段と、前記副時計地域日時管理手段で算出した日時を表示する副時計表示手段と、時計表示手段で表示する日時を手動で設定する日時手動設定手段とを備え、前記副時計地域日時管理手段は、前記日時手動設定手段により前記副時計地域日時管理手段で算出した日時が変更された場合には、その変更に応じて前記副時計地域時差情報を変更し、副時計地域日時情報を算出することを特徴とする電子時計である。
【発明の効果】
【００１０】
本発明によれば、手動設定手段により日時が変更された場合には、その変更に応じて管理する情報を変更する電子時計を提供することができる。
【図面の簡単な説明】
【００１１】
【図１】電子時計の外観図である。
【図２】電子時計の内部構成図である。
【図３】ＲＡＭ２３のメモリ空間の要部概念図である。
【図４】外部調整の概念図である。
【図５】副時計表示手動調整処理を示す図である。
【図６】主時計表示と副時計表示の入れ替え処理を示す図（１／３）である。
【図７】主時計表示と副時計表示の入れ替え処理を示す図（２／３）である。
【図８】主時計表示と副時計表示の入れ替え処理を示す図（３／３）である。
【図９】第１のバリエーションを示す図である。
【図１０】第２のバリエーションを示す図である。
【発明を実施するための形態】
【００１２】
以下、本発明の実施形態を、図面を参照しながら説明する。
この電子時計１は、図１に示すように、本体部２を備えており、本体部２は、四隅に設けられた四つの押しボタン３〜６と、右側面に設けられたリューズ７と、前面に設けられた文字盤８とを有している。
【００１３】
文字盤８には、長時針９、長分針１０及び長秒針１１からなるアナログ三針式の主時計表示１２と、短時針１３及び短分針１４からなるアナログ二針式の副時計表示１５が設けられており、さらに、主時計表示１２の２４時間計表示１６、副時計表示１５の２４時間計表示１７、ストップウォッチ表示１８、日付用の日車表示１９などが設けられている。なお、図示の例では三針式の主時計表示１２と二針式の副時計表示１５を示しているが、これに限定されない。秒針のない二針式の主時計表示１２であってもよく、あるいは、秒針のある三針式の副時計表示１５であってもよい。
【００１４】
一般的に主時計表示１２で主たる日時を表示し、副時計表示１５で特定の都市の日時を表示する。主時計表示１２の三針（長時針９、長分針１０及び長秒針１１）と日車表示１９はリューズ７の操作によって各々個別に調節可能である。
【００１５】
押しボタン３〜６はそれぞれ電子時計１の各種設定を行うためのものである。たとえば、左下の押しボタン４は、主時計表示１２と副時計表示１５の表示の入れ替えに使用することができる。また、リューズ７は、主時計表示１２の時刻合せや日車表示１９の日付合せ、あるいは副時計表示１５の時刻合せ（ただし１５分単位の修正）などに使用する。
【００１６】
電子時計１は、上述の構成に加えて駆動制御に係る構成として、図２に示すように、時間を発生する時計回路２１、動作プログラム（基本プログラム及び応用プログラム）や各種データを格納するＲＯＭ（Read Only Memory）２２、作業用のメモリ空間を提供するＲＡＭ（Random Access Memory）２３、四つの押しボタン３〜６の押し込み操作やリューズ７の引き出し操作並びに引き出し後のリューズ７の回転方向などを検出するセンサ部２４、データ変換部２５、第１ドライバ部２６、第２ドライバ部２７及びＣＰＵ（Central Processing Unit）２８備えており、ＣＰＵ２８は、ＲＯＭ２２に格納されている動作プログラムや各種データに従い、電子時計１の各種動作を統括制御する。
【００１７】
第１ドライバ部２６は、モータ２９を駆動し、モータ２９は輪列３０を介して主時計表示１２や副時計表示１５、主時計表示１２の２４時間計表示１６、副時計表示１５の２４時間計表示１７、ストップウォッチ表示１８及び日車表示１９を動かす。また、第２ドライバ部２７は、ピエゾ素子などの音源３１を駆動する。
【００１８】
データ変換部２５には無線通信部３２が接続されており、無線通信部３２は、必要に応じブルーツース（Bluetooth（登録商標））等の近距離無線通信により、アンテナ３３を介して、たとえば、多機能携帯電話機等の携帯電子機器Ｐとの間でデータをやりとりし、データ変換部２５は、無線通信部３２とＣＰＵ２８との間の双方向のデータ変換を行う。
【００１９】
図示の電子時計１における時刻調整の第一はリューズ７を用いて行われる「手動調整」であり、第二は必要に応じ無線通信部３２を介して行われる「外部調整」である。
【００２０】
図３は、ＲＡＭ２３のメモリ空間の要部概念図である。ＲＡＭ２３のメモリ空間には、少なくとも図示の４つのメモリエリアが確保される。第一のエリアは、主時計用メモリ情報３４（ホームタイム情報）が記憶されるエリアである。この主時計用メモリ情報３４は記憶する情報種類の構成を示す記憶情報種類構成タイプ情報（ホームタイムタイプ情報）を格納するためのタイプフィールド３４ａと、主時計用の世界各地の都市名を示す都市コード情報（ホームタイム都市コード情報）を記憶するための都市コードフィールド３４ｂと、主時計用の時差情報（ホームタイム時差情報）を記憶するための時差フィールド３４ｃと、主時計用の夏時間情報（ホームタイム夏時間情報）を記憶するための夏時間フィールド３４ｄと、時計回路２１で計数する日付及び時刻にホームタイム時差情報とホームタイム夏時間情報とを加えた日時の情報（ホームタイム日時情報）を記憶するための日付・時刻フィールド３４ｅと、を有している。
【００２１】
第二のエリアは、副時計用メモリ情報３５（ワールドタイム情報）が記憶されるエリアである。この副時計用メモリ情報３５は記憶する情報種類の構成を示す記憶情報種類構成タイプ情報（ワールドタイムタイプ情報）を記憶するためのタイプフィールド３５ａと、副時計用の世界各地の都市名を示す都市コード情報（ワールドタイム都市コード情報）を記憶するための都市コードフィールド３５ｂと、副時計用の時差情報（ワールドタイム時差情報）を記憶するための時差フィールド３５ｃと、夏時間情報（ワールドタイム夏時間情報）を記憶するための夏時間フィールド３５ｄと、ホームタイム時差情報とホームタイム夏時間情報とホームタイム日時情報とワールドタイム時差情報とワールドタイム夏時間情報とに基づいて算出される日付及び時刻（ワールドタイム日時情報）を記憶するための日付・時刻フィールド３５ｅと、を有している。
【００２２】
第三のエリアは、主時計待避用メモリ情報３６である。この主時計待避用メモリ情報３６は前記主時計用メモリ情報３４に記憶されているホームタイムタイプ情報を記憶するためのタイプフィールド３６ａと、前記主時計用メモリ情報３４に記憶されているホームタイム都市コード情報を記憶するための都市コードフィールド３６ｂと、前記主時計用メモリ情報３４に記憶されているホームタイム時差情報を記憶するための時差フィールド３６ｃと、前記主時計用メモリ情報３４に記憶されているホームタイム夏時間情報を記憶するための夏時間フィールド３６ｄと、前記主時計用メモリ情報３４に記憶されているホームタイム日時情報を記憶するための日付・時刻フィールド３６ｅと、を有している。
【００２３】
第四のエリアは、副時計待避用メモリ情報３７である。この副時計待避用メモリ情報３７は、前記副時計用メモリ情報３５に記憶されているワールドタイム日時情報を記憶するための日付・時刻フィールド３７ｅを有している。
【００２４】
ここで、前記記憶情報種類構成タイプ情報は、タイプ１とタイプ２があり、タイプ１は、この記憶情報種類構成タイプ情報が記憶管理されているメモリに格納されている情報が、都市コード情報と時差情報と主に時計回路２１で計数する日付及び時刻とで構成されていることを示している。タイプ２は、この記憶情報種類構成タイプ情報が記憶管理されているメモリに格納されている情報が、時差情報と主に時計回路２１で計数する日付及び時刻とで構成されていることを示している。
【００２５】
主時計用メモリ情報３４と副時計用メモリ情報３５は、「外部調整」（必要に応じ無線通信部３２を介して外部から行われる調整）と「手動調整」（リューズ７を用いて行われる調整）の各々で記憶されている上述の情報が変化する。
【００２６】
図４は、外部調整の概念図である。外部調整の場合、主時計用メモリ情報３４と副時計用メモリ情報３５に記憶されている情報は、携帯電子機器Ｐからのデータに応じて更新される。この外部調整において、主時計表示１２の時刻表示は主時計用メモリ情報３４の日付・時刻フィールド３４ｅの時刻の値で更新され、また、日車表示１９の日付は主時計用メモリ情報３４の日付・時刻フィールド３４ｅの日付の値で更新され、さらに、副時計表示１５の時刻は副時計用メモリ情報３５の日付・時刻フィールド３５ｅの時刻の値で更新される。
【００２７】
図５〜図８は、電子時計１の動作プログラムの要部フローを示す図である。
〔副時計表示手動調整処理：図５〕
副時計表示手動調整処理では、まず、副時計用メモリ情報３５のタイプフィールド３５ａにタイプ１が記憶されているか否かを判定する（ステップＳ１）。タイプ１が記憶されていた場合には、副時計用メモリ情報３５のタイプフィールド３５ａにタイプ２をセットし、都市コードフィールド３５ｂに「無し」を意味する情報（例えば、ＮＵＬＬ値）をセットし、時差フィールド３５ｃに記憶されている時差情報（ワールドタイム時差情報）にワールドタイム夏時間をセットし、夏時間フィールド３５ｄに０をセットする（ステップＳ２）。
【００２８】
次いで、リューズ７の回転方向が時計回り方向か否かを判定する（ステップＳ３）。そして、時計回り方向であれば、ワールドタイム時差情報に０．２５時間を加算する（ステップＳ４）。なお、この０．２５時間は１５分に相当し、この１５分はワールドタイム時差情報の修正単位の例示である。
【００２９】
次いで、ワールドタイム時差情報が＋１２時間よりも大きいか否かを判定し（ステップＳ５）、＋１２時間よりも大きい場合には、ワールドタイム時差情報をワールドタイム時差−２４時間で更新する（ステップＳ６）。
【００３０】
また、前述のリューズ７の回転方向の判定（ステップＳ３）で時計回り方向でないと判定された場合は、ワールドタイム時差情報から０．２５時間を減算し（ステップＳ７）、次いで、ワールドタイム時差情報が−１２時間以下か否かを判定し（ステップＳ８）、−１２時間以下である場合には、ワールドタイム時差情報をワールドタイム時差＋２４時間で更新する（ステップＳ９）。
【００３１】
次いで、ホームタイム情報とワールドタイム時差情報からワールドタイムの日付けと時刻を計算し、ワールドタイム日時情報を更新（ステップＳ１０）して、副時計表示手動調整処理を終了する。
【００３２】
〔主時計表示と副時計表示の入れ替え処理：図６〜図８〕
この主時計表示と副時計表示の入れ替え処理においては、まず、主時計用メモリ情報３４と副時計用メモリ情報３５に記憶されている情報とを待避する（ステップＳ１１）。待避先はそれぞれ主時計待避用メモリ情報３６と副時計待避用メモリ情報３７である（図３参照）。
【００３３】
以下、待避データを“旧”で識別する。たとえば、旧ホームタイムタイプ情報とは、主時計用メモリ情報３４のタイプフィールド３４ａに格納されていたホームタイプ情報のことである。
【００３４】
ここで、主時計用メモリ情報３４の記憶データについては、ホームタイムタイプ情報、ホームタイム都市コード情報、ホームタイム時差情報、ホームタイム夏時間情報、ホームタイム日時情報を、主時計待避用メモリ情報３６に待避し、副時計用メモリ情報３５の記憶データについては、ワールドタイム日時情報を副時計待避用メモリ情報３７に待避する。
【００３５】
次いで、ホームタイムタイプ情報がタイプ２であるか、あるいは、ワールドタイムタイプ情報がタイプ２であるか否かを判定する（ステップＳ１２）。つまり、この主時計表示と副時計表示の入れ替え処理の以前に手動調整が行われていたか否かを判定する。
【００３６】
以前に手動調整が行われていないと判定された場合には、ホームタイム日時情報の日付情報部分を、ワールドタイム日時情報の日付情報部分で更新（ステップＳ１３）する一方、以前に手動調整が行われていた場合には、ステップＳ１４に移行する。
【００３７】
次いで、主時計用メモリ情報３４の内容を副時計用メモリ情報３５の内容で更新する（ステップＳ１４）。
【００３８】
次いで、副時計用メモリ情報３５の内容を主時計待避用メモリ情報３６の内容で更新する（ステップＳ１５）。つまり、ワールドタイム情報を上述で待避しておいたホームタイム情報（旧ホームタイム情報）で置き換える。
【００３９】
次いで、ホームタイム情報とワールドタイム時差情報とワールドタイム夏時間情報からワールドタイム日時情報を計算し、副時計用メモリ情報３５の日付・時刻フィールド３５ｅの値を更新する（ステップＳ１６）。
【００４０】
次いで、ワールドタイムタイプ情報がタイプ２であるか否かを判定し（ステップＳ１７）、ワールドタイムタイプ情報がタイプ２である場合は、主時計表示１２の指針をホームタイム情報に応じた日時表示位置へ、小時計表示１５の指針をワールドタイム情報に応じた日時表示位置へ、それぞれ、指針の移動単位が小さく、短時間で指針の移動が終了する移動方向に全ての針を同時に高速（たとえば、６４ｐｐｓ）で移動（ステップＳ１８）した後、主時計表示と副時計表示の入れ替え処理を終了する。
【００４１】
一方、ステップＳ１７の判定結果がＮＯの場合は、旧ホームタイム日時情報がホームタイム日時情報よりも遅れた日時の情報であるか否かを判定する（ステップＳ１９）。
【００４２】
そして、ステップＳ１９の判定結果がＮＯの場合は、旧ホームタイム日時情報とホームタイム日時情報との差分が所定時間（たとえば、１時間）以上であるか否か、つまり、指針の移動単位が所定以上であるか否かを判定し（ステップＳ２０）、その判定結果がＮＯであれば、主時計表示１２をホームタイム情報に応じた日時表示位置へ低速（たとえば、３２ｐｐｓ）で反時計回り方向へ移動する（ステップＳ２１）。一方、その判定結果がＹＥＳであれば、主時計表示１２をホームタイム情報に応じた日時表示位置へ高速（たとえば、６４ｐｐｓ）で反時計回り方向へ移動する（ステップＳ２２）。
【００４３】
ステップＳ１９の判定結果がＹＥＳの場合は、ホームタイム日時情報と旧ホームタイム日時情報との差分が所定時間（たとえば、１時間）以上であるか否か、つまり、指針の移動単位が所定以上であるか否かを判定し（ステップＳ２３）、その判定結果がＮＯであれば、主時計表示１２をホームタイム情報に応じた日時表示位置へ低速（たとえば、３２ｐｐｓ）で時計回り方向へ移動する（ステップＳ２４）。一方、その判定結果がＹＥＳであれば、主時計表示１２をホームタイム情報に応じた日時表示位置へ高速（たとえば、６４ｐｐｓ）で時計回り方向へ移動する（ステップＳ２６）。
【００４４】
次いで、旧ワールドタイム日時情報がワールドタイム日時情報よりも遅れた日時の情報であるか否かを判定する（ステップＳ２７）。
【００４５】
そして、ステップＳ２７の判定結果がＮＯの場合は、旧ワールドタイム日時情報とワールドタイム日時情報との差分が所定時間（たとえば、１時間）以上であるか否か、つまり、指針の移動単位が所定以上であるか否かを判定し（ステップＳ２８）、その判定結果がＮＯであれば、副時計表示１５をワールドタイム情報に応じた日時表示位置へ低速（たとえば、３２ｐｐｓ）で反時計回り方向へ移動（ステップＳ２９）した後、主時計表示と副時計表示の入れ替え処理を終了する。一方、その判定結果がＹＥＳであれば、副時計表示１５をワールドタイムへ高速（たとえば、６４ｐｐｓ）で反時計回り方向へ移動（ステップＳ３０）した後、主時計表示と副時計表示の入れ替え処理を終了する。
【００４６】
ステップＳ２７の判定結果がＹＥＳの場合は、ワールドタイム日時情報と旧ワールドタイム日時情報との差分が所定時間（たとえば、１時間）以上であるか否か、つまり、指針の移動単位が所定以上であるか否かを判定し（ステップＳ３１）、その判定結果がＮＯであれば、副時計表示１５をワールドタイム情報に応じた日時表示位置へ低速（たとえば、３２ｐｐｓ）で時計回り方向へ移動（ステップＳ３２）した後、主時計表示と副時計表示の入れ替え処理を終了する。一方、その判定結果がＹＥＳであれば、副時計表示１５をワールドタイム情報に応じた日時表示位置へ高速（たとえば、６４ｐｐｓ）で時計回り方向へ移動（ステップＳ３３）した後、主時計表示と副時計表示の入れ替え処理を終了する。
【００４７】
以上のとおりであるので、実施形態の電子時計１は、日時を計数する時計回路２１と、文字盤８上で長時針９及び長分針１０及び長秒針１１により主時計の表示を行う主時計表示１２と、文字盤８上で短時針１３及び短分針１４により副時計の表示を行う副時計表示１５と、副時計表示１５が表示する日時を手動で設定するリューズ７と、ＣＰＵ２８を備える。
ＣＰＵ２８は、時計回路２１の計数する日時と所定時計回路２１の計数する日時と主時計の所定地域における時差情報と主時計の所定地域における夏時間情報とに基づいて主時計の所定地域における日時を算出して、主時計の所定地域における時差情報と主時計の所定地域における夏時間情報と主時計の所定地域における日時とを主時計地域日時情報として管理し（主時計地域日時管理手段）、これに加え、主時計地域日時情報と副時計の所定地域における時差情報と副時計の所定地域における夏時間情報とに基づいて副時計の所定地域における日時を算出して、副時計の所定地域における時差情報と副時計の所定地域における夏時間情報と副時計の所定地域における日時とを副時計地域日時情報として管理し（副時計地域日時管理手段）、リューズ７により副時計表示１５の時刻が設定された場合には、リューズ７による当該設定前の副時計の所定地域における時差情報及び副時計の所定地域における夏時間情報に基づいて、リューズ７による当該設定後の副時計の所定地域における時差情報を算出し、変更し、副時計表示１５に表示させる。
【００４８】
従って、副時計の所定地域における時差情報と夏時間情報とを、副時計表示１５で表示されている時刻をリューズ７によって変更する場合であっても、副時計の所定地域における時差情報及び夏時間情報の内容を容易且つ適切に電子時計１で保持することができる。
【００４９】
また、副時計地域日時管理手段は、リューズ７により副時計表示１５の日時が変更された場合には、その変更に応じて副時計地域時差情報を変更し、副時計地域日時情報を変更し、副時計表示１５に表示させる。
【００５０】
従って、リューズ７により副時計表示１５の時刻が変更された後に、ホームタイム情報とワールドタイム情報の入れ替えを行い、入れ替え後の日時を主時計表示１２と副時計表示１５で表示した場合であっても、旧ワールドタイム情報の日付に入れ替わることが無く、ユーザの意図しない日付の表示を回避することができる。
【００５１】
また、電子時計１は無線通信部３２を備え、副時計地域日時管理手段が無線通信部３２から取得した日時情報を基に副時計地域日時情報を算出した後に、主時計表示１２が表示する日時と副時計表示１５が表示する日時とを入れ替える場合には、ＣＰＵ２８は、地域日時管理手段が管理する地域時差情報に基づいて、長時針９及び長分針１０及び長秒針１１、短時針１３及び短分針１４の移動方向を制御する。
【００５２】
従って、主時計表示１２が表示する日時と副時計表示１５が表示する日時を入れ替えた際に、入れ替え後の各時計表示が、入れ替え前の各時計表示から時差が進むのか遅れるのかをユーザが確実に知ることができる。
【００５３】
また、ＣＰＵ２８は、地域日時管理手段が管理する地域時差情報に基づいて、長時針９及び長分針１０及び長秒針１１、短時針１３及び短分針１４の移動方向を制御するとともに、これらの針が移動するステップ数に応じで移動速度を制御する。
【００５４】
従って、主時計表示１２が表示する日時と副時計表示１５が表示する日時を入れ替えた際に、入れ替え後の各時計表示における指針位置と入れ替え前の各時計表示における指針位置とが近い場合であっても時差が進むのか遅れるのかをユーザが確実に知ることができる。
【００５５】
なお、以上の例では、日付の情報と時刻の情報を一つの集合として（例えば、ホームタイム日時情報）、管理・制御に使用等しているが、これに限られず、日付の情報と時刻の情報のそれぞれを一つの集合として（例えば、ホームタイム日付情報、ホームタイム時刻情報）管理してもよい。
【００５６】
また、以上の例では、駆動パルスの出力周期を移動速度ごとに、高速が６４ｐｐｓとし、低速が３２ｐｐｓとしたが、これに限定されず、その他の駆動パルスの出力周期を移動速度ごとに定義してもよい。
【００５７】
また、以上の例では、指針の移動単位に応じて指針の移動速度を変更したが、これに限られず、たとえば、以下に列挙するようにしてもよい。
【００５８】
〔第１のバリエーション〕
針の移動速度を変更する方法に対する変形例の第１のバリエーションとして駆動パルスの出力パターンを変形する例を示す。
図７のステップＳ２０、ステップＳ２３、図８のステップＳ２８、ステップＳ３１における上述の差分が所定時間（たとえば、１時間）以上の場合、つまり、指針の移動単位が所定以上である場合は、図９（ａ）に示すように駆動パルス出力を制御することで高速運針をし、時差が所定時間（たとえば、１時間）未満の場合は図９（ｂ）に示すように駆動パルス出力を制御することで変則運針をするようにしてもよい。
【００５９】
また、図７のステップＳ２３、図８のステップＳ３１における上述の差分が所定時間（たとえば、１時間）以上の場合、つまり、指針の移動単位が所定以上である場合は、図９（ｃ）に示すように駆動パルス出力を制御することで高速運針をし、図７のステップＳ２３、図８のステップＳ３１における上述の差分が所定時間（たとえば、１時間）未満の場合、つまり、指針の移動単位が所定未満である場合は、図９（ｄ）に示すように駆動パルス出力を制御することで変則運針をするようにしてもよい。
【００６０】
図７のステップＳ２０、図８のステップＳ２８における判断後のステップＳ２２、ステップＳ３０においては、上述の図９（ｃ）の正負の符号を逆転した駆動パルス出力制御をし、図７のステップＳ２０、図８のステップＳ２８における判断後のステップＳ２１、ステップＳ２９においては、上述の図９（ｄ）の正負の符号を逆転した駆動パルス出力制御をしてもよい。
【００６１】
また、図７のステップＳ２３、図８のステップＳ３１における上述の差分が所定時間（たとえば、１時間）以上の場合、つまり、指針の移動単位が所定以上である場合は、図９（ａ）に示すように駆動パルス出力を制御することで高速運針をし、図７のステップＳ２３、図８のステップＳ３１における上述の差分が所定時間（たとえば、１時間）未満の場合、つまり、指針の移動単位が所定未満である場合は、図９（ｂ）に示すように駆動パルス出力を制御することで変則運針をするようにしてもよい。
【００６２】
図７のステップＳ２０、図８のステップＳ２８における判断後のステップＳ２２、ステップＳ３０においては、上述の図９（ａ）の正負の符号を逆転した駆動パルス出力制御をし、図７のステップＳ２０、図８のステップＳ２８における判断後のステップＳ２１、ステップＳ２９においては、上述の図９（ｂ）の正負の符号を逆転した駆動パルス出力制御をしてもよい。
【００６３】
〔第２のバリエーション〕
針の移動速度を変更する方法に対する変形例の第２のバリエーションとして指針の移動量を運針時に変更する変形例を示す。
図７のステップＳ２３、図８のステップＳ３１における上述の差分が所定時間（たとえば、１時間）以上の場合、つまり、指針の移動単位が所定以上である場合は、所定の移動量を移動し、図７のステップＳ２３、図８のステップＳ３１における上述の差分が所定時間（たとえば、１時間）未満の場合、つまり、指針の移動単位が所定未満である場合は、目的の時刻を通り過ぎて一周分を余分に移動するようにしてもよい。
【００６４】
たとえば、図１０に示すように、午後１２：０５から午後２：０５に移動する場合（上述の差分が１時間以上の移動の場合）は、分針（長分針１０若しくは短分針１４）が午後１２：０５→午後１：００→・・・・→午後２：００→午後２：０５のように移動してもよい。
【００６５】
または、午後１２：０５から午後１２：３５に移動する場合（上述の差分が１時間未満の移動の場合）は、分針（長分針１０若しくは短分針１４）が午後１２：０５→午後１：００→・・・・→午後１１：００→午前１２：００→・・・・→午後１２：００→午後１２：３５のように、目的の時刻を通過して一周分を余分に移動するようにしてもよい。
【００６６】
または、長分針１０と長時針９が独立、若しくは、短分針１４と短時針１３が独立して動作できる電子時計１の場合は、たとえば、午後１２：０５から午後２：０５に移動する場合（上述の差分が１時間以上の移動の場合）は、分針（長分針１０若しくは短分針１４）を午後１２：０５→午後１：００→・・・・→午後２：００→午後２：０５のように移動してもよい。
【００６７】
または、たとえば、午後１２：０５から午後１２：３５に移動する場合（上述の差分が１時間未満の移動の場合）は、まず、分針（長分針１０若しくは短分針１４）のみを１周移動し、その後、時針（長時針９若しくは短時針１３）と分針（長分針１０若しくは短分針１４）を移動するようにしてもよい。たとえば、図１０に示すように、まず、午後１２：０５→午後１２：０５のように分針（長分針１０若しくは短分針１４）のみを１周移動させ、その後に、午後１２：３５の位置まで時針（長時針９若しくは短時針１３）と分針（長分針１０若しくは短分針１４）を移動するようにしてもよい。
【００６８】
なお、図７のステップＳ２０、図８のステップＳ２８における上述の差分が所定時間（たとえば、１時間）以上の場合、つまり、指針の移動単位が所定以上である場合には、所定の移動量を、上記に示した例の逆向きで運針し、図７のステップＳ２０、図８のステップＳ２８における上述の差分が所定時間（たとえば、１時間）未満の場合、つまり、指針の移動単位が所定未満である場合の運針動作については、目的の時刻を通り過ぎて一周分を余分に、上記に示した例の逆向きで運針してもよい。
【００６９】
なお、以上の例では、指針の移動単位が所定以上であるか否かを、１時間分の指針の移動量を基準に説明したが、これに限定されず、その他の指針移動量を基準に判断してもよい。
【００７０】
以上、本発明のいくつかの実施形態を説明したが、この発明は、これらに限定されるものではなく、特許請求の範囲に記載された発明とその均等の範囲を含むものである。
【００７１】
以下に、本件出願の特許請求の範囲に記載された発明を付記する。
（付記）
［１］付記１は、日時を計数する計時手段と、
前記計時手段の計数する日時と主時計の所定地域に応じた時差情報である主時計地域時差情報と主時計の所定地域に応じた夏時間情報である主時計夏時間情報に基づいて前記主時計の所定地域における日時を算出してこれらを主時計地域日時情報として管理する主時計地域日時管理手段と、
前記主時計地域日時情報と副時計の所定地域に応じた時差情報である副時計地域時差情報と副時計の所定地域に応じた夏時間情報である副時計夏時間情報に基づいて前記副時計の所定地域における日時を算出してこれらを副時計地域日時情報として管理する副時計地域日時管理手段と、
前記主時計地域日時管理手段で算出した日時を表示する主時計表示手段と、
前記副時計地域日時管理手段で算出した日時を表示する副時計表示手段と、
時計表示手段で表示する日時を手動で設定する日時手動設定手段とを備え、
前記副時計地域日時管理手段は、前記日時手動設定手段により前記副時計地域日時管理手段で算出した日時が変更された場合には、その変更に応じて前記副時計地域時差情報を変更し、副時計地域日時情報を算出することを特徴とする電子時計である。
［２］付記２は、前記副時計地域日時管理手段は、前記日時手動設定手段により日時が変更された場合には、当該変更前の前記副時計地域時差情報と前記副時計夏時間情報に基づき算出された情報を当該変更後の前記副時計地域時差情報とすることを特徴とする付記１に記載の電子時計である。
［３］付記３は、指針の移動動作を制御する時計表示制御手段を備え、
前記時計表示制御手段は、前記主時計表示手段が表示する日時と前記副時計表示手段が表示する日時とを入れ替える場合には、前記地域時差情報に基づいて前記指針の移動方向を制御することを特徴とする付記１又は付記２に記載の電子時計である。
［４］付記４は、外部と日時情報の通信をする外部通信手段を備え、
前記時計表示制御手段は、前記副時計地域日時管理手段が前記外部通信手段で取得した日時情報を基に前記副時計地域日時情報を算出した後に前記主時計表示手段が表示する日時と前記副時計表示手段が表示する日時とを入れ替える場合には、前記地域時差情報に基づいて前記指針の移動方向を制御することを特徴とする付記３に記載の電子時計である。
［５］付記５は、前記時計表示制御手段は、前記主時計表示手段が表示する日時と前記副時計表示手段が表示する日時とを入れ替える場合には、前記地域時差情報に基づいて前記指針の移動方向と移動速度を制御することを特徴とする請求項３又は付記４に記載の電子時計である。
【符号の説明】
【００７２】
１  電子時計
７  リューズ
８  文字盤
９  長時針
１０  長分針
１１  長秒針
１２  主時計表示
１３  短時針
１４  短分針
１５  副時計表示
２１  時計回路
２８  ＣＰＵ
３２  無線通信部
【図１】
2018194565.tif 000003
【図２】
2018194565.tif 000004
【図３】
2018194565.tif 000005
【図４】
2018194565.tif 000006
【図５】
2018194565.tif 000007
【図６】
2018194565.tif 000008
【図７】
2018194565.tif 000009
【図８】
2018194565.tif 000010
【図９】
2018194565.tif 000011
【図１０】
2018194565.tif 000012
【手続補正書】
【提出日】平成30年10月11日(2018.10.11)
【手続補正１】
【補正対象書類名】明細書
【補正対象項目名】０００９
【補正方法】変更
【補正の内容】
【０００９】
本発明は、主時計の日時を主時計地域日時情報として管理し、副時計の日時を副時計地域日時情報として管理し、主時計の指針の移動動作を制御する制御部と、少なくとも主時計の日時を前記指針で表示し、主時計及び副時計の日時を表示する表示部と、を備え、前記制御部は、主時計の日時と副時計の日時とを入れ替える際、入れ替え前の前記主時計地域日時情報が入れ替え後の前記主時計地域日時情報よりも遅れた日時の情報であるか否かを判定し、入れ替え前の前記主時計地域日時情報が入れ替え後の前記主時計地域日時情報よりも遅れた日時の情報であると判定した場合には前記指針の移動方向を時計回りに制御し、入れ替え前の前記主時計地域日時情報が入れ替え後の前記主時計地域日時情報よりも遅れた日時の情報でないと判定した場合には前記指針の移動方向を反時計回りに制御することを特徴とする電子時計である。
【手続補正２】
【補正対象書類名】特許請求の範囲
【補正対象項目名】全文
【補正方法】変更
【補正の内容】
【特許請求の範囲】
【請求項１】
主時計の日時を主時計地域日時情報として管理し、副時計の日時を副時計地域日時情報として管理し、主時計の指針の移動動作を制御する制御部と、
少なくとも主時計の日時を前記指針で表示し、主時計及び副時計の日時を表示する表示部と、
を備え、
前記制御部は、主時計の日時と副時計の日時とを入れ替える際、入れ替え前の前記主時計地域日時情報が入れ替え後の前記主時計地域日時情報よりも遅れた日時の情報であるか否かを判定し、入れ替え前の前記主時計地域日時情報が入れ替え後の前記主時計地域日時情報よりも遅れた日時の情報であると判定した場合には前記指針の移動方向を時計回りに制御し、入れ替え前の前記主時計地域日時情報が入れ替え後の前記主時計地域日時情報よりも遅れた日時の情報でないと判定した場合には前記指針の移動方向を反時計回りに制御すること
を特徴とする電子時計。
【請求項２】
外部と日時情報の通信をする外部通信手段を備え、
前記制御部は、前記外部通信手段で取得した日時情報を基に前記副時計地域日時情報を算出した後に主時計の日時と副時計の日時とを入れ替える際、入れ替え前の前記主時計地域日時情報が入れ替え後の前記主時計地域日時情報よりも遅れた日時の情報であるか否かを判定し、入れ替え前の前記主時計地域日時情報が入れ替え後の前記主時計地域日時情報よりも遅れた日時の情報であると判定した場合には前記指針の移動方向を時計回りに制御し、入れ替え前の前記主時計地域日時情報が入れ替え後の前記主時計地域日時情報よりも遅れた日時の情報でないと判定した場合には前記指針の移動方向を反時計回りに制御すること
を特徴とする請求項１に記載の電子時計。
【請求項３】
前記制御部は、主時計の日時と副時計の日時とを入れ替える際、入れ替え前の前記主時計地域日時情報と入れ替え後の前記主時計地域日時情報の差分に基づいて前記指針の移動方向と移動速度を制御することを特徴とする請求項１又は請求項２に記載の電子時計。
【請求項４】
前記制御部は、主時計の日時と副時計の日時とを入れ替える際、入れ替え前の前記主時計地域日時情報と入れ替え後の前記主時計地域日時情報の差分が所定時間以上であるか否かを判定し、前記指針の移動方向と移動速度を制御することを特徴とする請求項３に記載の電子時計。
【請求項５】
日時を計数する計時手段を備え、
前記制御部は前記計時手段の計数する日時と主時計の所定地域に応じた時差情報である主時計地域時差情報と主時計の所定地域に応じた夏時間情報である主時計夏時間情報に基づいて前記主時計地域日時情報を算出し、前記主時計地域日時情報と副時計の所定地域に応じた時差情報である副時計地域時差情報と副時計の所定地域に応じた夏時間情報である副時計夏時間情報に基づいて前記副時計地域日時情報を算出する
ことを特徴とする請求項１〜請求項４に記載の電子時計。
【請求項６】
前記表示部で表示する日時を手動で設定する日時手動設定手段を備え、
前記制御部は、前記日時手動設定手段により前記制御部で算出した日時が変更された場合には、その変更に応じて前記副時計地域時差情報を変更し、副時計地域日時情報を算出することを特徴とする請求項５に記載の電子時計。
【請求項７】
前記制御部は、前記日時手動設定手段により日時が変更された場合には、当該変更前の前記副時計地域時差情報と前記副時計夏時間情報に基づき算出された情報を当該変更後の前記副時計地域時差情報とすることを特徴とする請求項６に記載の電子時計。